(57)【要約】      （修正有）【課題】スプリンクラヘッドの弁体及び密閉シールの形状を変えることにより、振動が発生しても弁体または弁体に設けられた密閉シールは横移動現象が起きないで、放水口からのズレがなくなり、そしてスプリンクラヘッドの密閉性が向上する。【解決手段】円筒状の放水口１を塞ぐ弁体２と、該弁体２を支持する感熱分解部３とを備えたスプリンクラヘッド１０において、上記弁体２は略円盤の形状を有し、放水口２を塞ぐ面に密閉シールのガスケット２１が設けられ、該円盤は円周側から中心部に向かって凹むように形成する。【選択図】図１
2008237638.tif 000002
【特許請求の範囲】
【請求項１】
円筒状の放水口を塞ぐ弁体と、該弁体を支持する感熱分解部とを備えたスプリンクラヘッドにおいて、
上記弁体は円盤の形状を有し、該円盤は円周側から中心部に向かって凹むように形成することを特徴とするスプリンクラヘッド。
【請求項２】
円筒状の放水口を塞ぐ弁体と、該弁体を支持する感熱分解部とを備えたスプリンクラヘッドにおいて、
上記弁体は円盤の形状を有し、放水口を塞ぐ面に密閉シールが設けられ、該円盤は円周側から中心部に向かって凹むように形成することを特徴とするスプリンクラヘッド。
【発明の詳細な説明】
【技術分野】
【０００１】
本発明は、スプリンクラヘッドに関するもので、特に、振動に強いスプリンクラヘッドに関する。
【背景技術】
【０００２】
湿式スプリンクラヘッドは、火災の高温で感熱分解部が分解し、該感熱分解部分で保持している弁体を開放することにより、消火水を散布して消火を行うものである。
【０００３】
普段湿式スプリンクラヘッドの密閉性が高く要求されている。これは配管内通常１ＭＰａ前後の水圧が掛けられており、スプリンクラヘッド、とりわけヘッド内部の放水口を閉鎖する弁体の密閉性が低下すると、消火水が放水口から漏洩され、水圧が低下され、スプリンクラ消火設備は正常に働かなくなる恐れがある。そのため、従来の湿式スプリンクラヘッドの弁体に、例えばガスケットのような密閉シールを放水口と弁体の間に設けて放水口を塞いでいる。図３は従来のスプリンクラヘッドの断面図である。弁体１０２の上に密閉シールであるガスケット１２１が設けられ、そして弁体１０２は放水口１０１を閉止している。（例えば、特許文献１）。
【特許文献１】特開２００２−２９１９３６号公報
【発明の開示】
【発明が解決しようとする課題】
【０００４】
しかし、従来の湿式スプリンクラヘッドは配管に接続して充水した後に、何らかの原因で強い振動を受けた場合、あるいは配管が強い衝撃を与えられると、ヘッドの弁体部も振動が起きる。そのとき、弁体あるいはガスケットは平らのシール面が放水口の先端と垂直的に接触しているため、上記振動により弁体またはガスケットが放水口から横移動の現象が生じ、すなわち弁体またはガスケットと放水口の間にズレが発生することが考えられる。そうすると配管内の消火水がそのズレの隙間に漏洩して消火水の水圧が低下され、スプリンクラ消火設備は不具合が発生してしまう。
【０００５】
この発明は、上記の事情に鑑み、スプリンクラヘッドの弁体及び密閉シールの形状を変えることにより、振動が発生しても弁体または弁体に設けられた密閉シールは横移動現象が起きないで、放水口からのズレがなくなり、そしてスプリンクラヘッドの密閉性が向上することができることを目的とする。
【課題を解決するための手段】
【０００６】
この発明は、上記課題を解決するためになされたもので、円筒状の放水口を塞ぐ弁体と、該弁体を支持する感熱分解部とを備えたスプリンクラヘッドにおいて、上記弁体は円盤の形状を有し、該円盤は円周側から中心部に向かって凹むように形成することを特徴とする。
【０００７】
また、円筒状の放水口を塞ぐ弁体と、該弁体を支持する感熱分解部とを備えたスプリンクラヘッドにおいて、上記弁体は円盤の形状を有し、放水口を塞ぐ面に密閉シールが設けられ、該円盤は円周側から中心部に向かって凹むように形成することを特徴とする。
【発明の効果】
【０００８】
この発明によれば、円筒状の放水口を塞ぐ弁体と、該弁体を支持する感熱分解部とを備えたスプリンクラヘッドにおいて、上記弁体は円盤の形状を有し、該円盤は円周側から中心部に向かって凹むように形成するため、スプリンクラヘッドが振動を受けても、弁体の凹部が円筒状の放水口に引掛けられ、横方向の移動は発生しない。その結果、放水口と弁体の間にズレが生じせず、消火水の漏洩はない。
【０００９】
またこの発明によれば、円筒状の放水口を塞ぐ弁体と、該弁体を支持する感熱分解部とを備えたスプリンクラヘッドにおいて、上記弁体は円盤の形状を有し、放水口を塞ぐ面に密閉シールが設けられ、該円盤は円周側から中心部に向かって凹むように形成するため、スプリンクラヘッドが振動を受けても、弁体および密閉シールはそれらの凹部が円筒状の放水口に引掛けられ、横方向の移動は発生しない。その結果、放水口と弁体および密閉シールとの間にズレが生じせず、消火水の漏洩はない。
【発明を実施するための最良の形態】
【００１０】
この発明の実施例を図１と図２により説明する。図１はこの発明に係わるスプリンクラヘッドの断面図で、図２はスプリンクラヘッドの感熱分解部が分解され、いわゆる放水時の状態を表している。
【００１１】
スプリンクラヘッド１０は、概に円筒形状の放水口１と、放水口１を塞ぐ弁体２と、監視時弁体１を支持し、火災時高温で分解され弁体１を開放する感熱分解部３と、で構成している。放水口１の外側にネジ部４が加工されていて、図示しない配管と接続する。消火水Ｗは放水口１内に充満している。
【００１２】
弁体２は略円盤の形状で形成され、放水口1の先端部１１を閉鎖している。弁体２の密閉性を高くするために、弁体２の素材は柔らかい材料を使用するか、図のようにガスケット２１のような密閉シールを弁体２と先端部１１の間に設けて、放水口１を封鎖している。弁体２およびガスケット２１は略円盤状で形成しながら、円盤の円周側から中心部に向かって凹むように斜面を有している。そうすると、弁体２およびガスケット２１は後述の感熱分解部に放水口１の先端部１１側へ押さえられている時に、確実に放水口１を塞ぐことができる。その際、スプリンクラヘッド１０が何らかの振動を受けても、弁体２およびその上にあるガスケット２１は放水口１の先端部１１に引掛けられ、弁体２またはガスケット２１は横方向の移動が発生しない。ここで、放水口１の先端部１１は、わずかに円環状に突出しており、弁体２またはガスケット２１に確実に引っ掛る。
【００１３】
感熱分解部３は、複数のパーツで構成されている。すなわち、弁体２を押さえるバランス板３１と、上記バランス板３１を押さえる２本のサポート柱３２と、一端はサポート柱３２を固定し、他端は円錐状を有している固定部３３と、低溶点合金が充填されている感熱部３４と、である。
【００１４】
ここで、感熱部３４は低溶点合金の使用を記載したが、感熱部３４は必ずしも低溶点合金の使用に限定せず、例えば感熱部３４に定温式液体を使用するグラスバルブ方式のスプリンクラヘッドでも適用する。通常、固定部３３の円錐部分は感熱部３４内の低溶点合金に固定されることで、感熱分解部３の各パーツがセットされている。
【００１５】
次に、この発明のスプリンクラヘッド１０の動作を説明する。
【００１６】
スプリンクラヘッド１０は図示しない配管にネジ４で接続する後に、消火水Ｗが配管内に入れられ、放水口１まで充満されている。弁体２は感熱分解部３で支持され、放水口１の先端部１１を弁体２が封鎖している。図１のように、弁体２および弁体２と放水口１の間に設けられているガスケット２１が略円盤形状をしていながら、円周側から中心部に向かって凹むようになっているので、円筒状の放水口１の先端部１１を弁体２およびガスケット２１がしっかり閉止している。このような状態でスプリンクラヘッド１０がたとえ強い振動を受けても、弁体２およびガスケット２１の凹む部分が先端部１１に引掛けられ、弁体２およびガスケット２１は横方向に移動することができない。その結果、放水口１と弁体２およびガスケット２１の間にズレの発生はしないので、消火水Ｗの漏洩は生じない。
【００１７】
そして火災が発生すると、感熱部３４に充填されていた低溶点合金が、火災の高温で溶融され軟化される。そうすると、固定部３３、サポート柱３２、バランス板３１の順に各パーツがそれぞれ係合を解き、感熱分解部３全体が崩れて、弁体２が落下する。弁体２が落下すると放水口１が開放され、放水口１内の消火水Ｗが放出されて、火源に向けて散水する。
【００１８】
この実施例によれば、円筒状の放水口１を塞ぐ弁体２と、該弁体２を支持する感熱分解部３とを備えたスプリンクラヘッド１０において、上記弁体２は略円盤の形状を有し、放水口２を塞ぐ面に密閉シールのガスケット２１が設けられ、該円盤は円周側から中心部に向かって凹むように形成することで、スプリンクラヘッド１０がたとえ強い振動を与えられても、弁体２およびガスケット２１の凹む部分が放水口１の先端部１１に引掛けられ、弁体２およびガスケット２１は横方向に移動することができない。その結果、放水口１と弁体２およびガスケット２１の間にズレは発生しないで、消火水Ｗの漏洩は生じない。
【００１９】
この実施例は、放水口１と弁体２の間に密閉シールのガスケット２１を設けていることを記載したが、ガスケット２１の設置に限定せず、例えば弁体２の表面に樹脂をコーティングするか、弁体２を直接に放水口１の先端部１１を閉止してもよい。
【図面の簡単な説明】
【００２０】
【図１】実施形態１に係わるスプリンクラヘッド１０の断面図
【図２】実施形態１に係わるスプリンクラヘッド１０が開放する状態
【図３】従来のスプリンクラヘッド
【符号の説明】
【００２１】
１          開放口
２          弁体
３          感熱分解部
４          ネジ
１０        スプリンクラヘッド
１１        先端部
２１        ガスケット
３１        バランス板
３２        サポート柱
３３        固定部
３４        感熱部
Ｗ          消火水
【図１】
2008237638.tif 000003
【図２】
2008237638.tif 000004
【図３】
2008237638.tif 000005